(57)【要約】【課題】入力された映像のコンテンツの特徴に応じて適切な画質補正を行い、かつ画質補正の切換えを、画質変化に気にならないように行う。【解決手段】輝度情報検出部９により１フレーム分の入力映像信号Ｄｂのヒストグラムから得られた輝度情報により、コンテンツ特徴検出部１０と複数コンテンツ特徴検出部１１によりコンテンツ種類を判定し、シーンチェンジ検出部１２によりシーンチェンジを検出する。また、彩度情報検出部８により入力映像信号Ｄｂの彩度情報を検出する。補正制御部６は、コンテンツの種類、シーンチェンジ、及び彩度情報に基づいて画質補正のための制御値を設定する。【選択図】図１
2008193285.tif 000002
【特許請求の範囲】
【請求項１】
映像信号を入力し、前記映像信号から得られる輝度信号に関する１フレーム分のヒストグラムを作成し、当該ヒストグラムから、輝度情報値を生成する輝度情報検出部と、
前記輝度情報検出部で生成される前記輝度情報値に基づいて、映像コンテンツの特徴を判定し、特徴判定値を生成する特徴検出部と、
前記特徴検出部から出力される前記特徴判定値を、複数フレーム分解析することにより、複数特徴判定値を求める複数特徴検出部と、
映像信号を入力し、前記映像信号から得られる彩度信号に関するヒストグラムを作成し、当該ヒストグラムから、彩度情報を生成する彩度情報検出部と、
前記映像信号中のシーンチェンジを検出し、シーンチェンジ検出信号を生成するシーンチェンジ検出部と、
前記複数特徴判定値、前記シーンチェンジ検出信号および前記彩度情報に基づいて、映像補正値及び表示部制御値を出力する補正制御部と、
前記映像信号に対して、前記映像補正値に基づいて映像補正を行う映像補正部と、
前記映像補正部より出力した前記映像信号に基づいて映像を表示し、前記表示部制御値に基づいて表示制御を行う表示部と
を備える映像表示装置。
【請求項２】
前記輝度情報検出部が、
前記ヒストグラムから、最大階調情報値、中間階調情報値、最小階調情報値、平均輝度階調情報値を生成し、
前記特徴検出部が、前記輝度情報検出部で生成される前記最大階調情報値、前記中間階調情報値、前記最小階調情報値、前記平均輝度階調情報値に基づいて、映像コンテンツの特徴を判定し、前記特徴判定値を生成する
ことを特徴とする請求項１に記載の映像表示装置。
【請求項３】
前記映像信号を１または複数フレーム遅延させるフレームバッファを更に備え、
前記映像補正部は、前記フレームバッファにより遅延した前記映像信号に対して、前記映像補正値に基づいて映像補正を行う
ことを特徴とする請求項１に記載の映像表示装置。
【請求項４】
前記フレームバッファは、前記輝度情報検出部、前記シーンチェンジ検出部及び前記複数特徴検出部の遅延を補償することを特徴とする請求項３に記載の映像表示装置。
【請求項５】
前記特徴検出部は、輝度の大きさを分類して、輝度判定値を生成する輝度判定部と、該輝度判定値を基に映像コンテンツの特徴の判定を行う特徴判定部と含み、
前記シーンチェンジ検出部は、輝度の大きさを分類して、輝度判定値を生成する輝度判定部と、該輝度判定値を基にシーンチェンジの判定を行うシーチェンジ判定部と含み、
前記特徴検出部と、前記シーンチェンジ検出部とは、前記輝度判定部を共用していることを特徴とする請求項２に記載の映像表示装置。
【請求項６】
前記シーンチェンジ検出部は、前記輝度情報検出部から出力される前記最大階調情報値、前記中間階調情報値、前記最小階調情報値、及び前記平均輝度階調情報値に基づいて、シーンチェンジを検出することを特徴とする請求項２に記載の映像表示装置。
【請求項７】
前記補正制御部は、
前記シーンチェンジ検出信号に基づき、
シーンチェンジの間のブランキング期間内に前記映像補正値、及び前記表示部制御値の演算を行う
ことを特徴とする請求項１に記載の映像表示装置。
【請求項８】
前記映像補正部による映像補正が、映像コントラストによる輝度制御、シャープネスによる鮮鋭度制御、色の濃さの制御、３次元ノイズリダクションによるノイズ除去制御、及びガンマ補正のうちの一つ以上を含むことを特徴とする請求項１に記載の映像表示装置。
【請求項９】
前記表示部がバックライトを備えた液晶表示部を備え、
前記表示部による表示制御が、オーバードライブによる動画応答性の制御、及びバックライトによる輝度制御のうちの一つ以上を含むことを特徴とする請求項１に記載の映像表示装置。
【発明の詳細な説明】
【技術分野】
【０００１】
本発明は、映像表示装置に関する。
【背景技術】
【０００２】
従来の映像表示装置の幾つかの例が例えば特許文献１〜３に開示されている。特許文献１に記載のデジタルテレビ放送受信機では、本来の番組データとともに放送局から送られてくる番組案内情報に含まれる番組のジャンルを示す情報を元に、出力映像特性および出力音声特性をジャンル別にユーザーの好みに応じて設定している。
【０００３】
特許文献２には、ビデオコンテンツを特徴付ける方法が開示されている。この方法では、ビデオコンテンツ内のキーフレームを識別し、そのキーフレームからヒストグラムを作成し、そのヒストグラムを分類することで番組の境界を決定すること、及びビデオコンテンツに索引を付けることを可能にしている。
【０００４】
特許文献３に記載の画像処理装置では、入力された映像信号における輝度信号のヒストグラムから輝度信号と出現頻度との関係を求め、映像に合わせて適切な階調パターンを選択し、映像信号を補正することで、高画質の映像を得ることを図っている。
【０００５】
【特許文献１】特開平１０−３２２６２２号公報
【特許文献２】特表２００２−５２０７４７号公報
【特許文献３】特開２００４−７３０１号公報
【発明の開示】
【発明が解決しようとする課題】
【０００６】
特許文献１において、番組案内情報は、ＣＳ放送などのデジタル放送に、本来の番組データと同時に送られてくるものである。この番組案内情報は、従来のアナログ放送や、外部から入力されるＤＶＤ装置などの録画された映像には含まれていない。また、番組案内情報が付された番組データの全体がその番組案内情報で示されるジャンルの映像が持つ特徴を持つわけではない。例えば、そのコンテンツが映画であった場合、その途中に挿入されるコマーシャル映像は、特徴は全く異なるが、映画と分類されてしまう。このため、コンテンツの種類に応じて適切に映像表示特性を調整することができない場合があった。
【０００７】
特許文献２の方法は、番組の境界を決定すること、ビデオコンテンツに索引を付けることを目的としたものであり、ビデオコンテンツの特徴に応じて映像表示特性を調整するものではなく、個々のビデオコンテンツに対して映像表示特性が適切ではない場合があった。
【０００８】
特許文献３の画像処理装置は、輝度のヒストグラムに基づいて階調パターンを選択するものであり、コンテンツを分類し、その分類結果に基いて映像表示特性を調整するものではなく、コンテンツの種類に応じて適切に映像表示特性を調整することができない場合があった。
【０００９】
そこで、本発明は上述の問題に鑑みて成されたものであり、表示される映像の種類に応じて適切に映像表示特性を調整することを可能にすることを目的する。
本発明の他の目的は、映像表示特性の切換えに伴う画質の変化に気にならないようにすることを自動的に行う映像表示装置を提供することを目的とする。
【課題を解決するための手段】
【００１０】
本発明は、
映像信号を入力し、前記映像信号から得られる輝度信号に関する１フレーム分のヒストグラムを作成し、当該ヒストグラムから、輝度情報値を生成する輝度情報検出部と、
前記輝度情報検出部で生成される前記輝度情報値に基づいて、映像コンテンツの特徴を判定し、特徴判定値を生成する特徴検出部と、
前記特徴検出部から出力される前記特徴判定値を、複数フレーム分解析することにより、複数特徴判定値を求める複数特徴検出部と、
映像信号を入力し、前記映像信号から得られる彩度信号に関するヒストグラムを作成し、当該ヒストグラムから、彩度情報を生成する彩度情報検出部と、
前記映像信号中のシーンチェンジを検出し、シーンチェンジ検出信号を生成するシーンチェンジ検出部と、
前記複数特徴判定値、前記シーンチェンジ検出信号および前記彩度情報に基づいて、映像補正値及び表示部制御値を出力する補正制御部と、
前記映像信号に対して、前記映像補正値に基づいて映像補正を行う映像補正部と、
前記映像補正部より出力した前記映像信号に基づいて映像を表示し、前記表示部制御値に基づいて表示制御を行う表示部と
を備える映像表示装置を提供する。
【発明の効果】
【００１１】
本発明によれば、入力映像信号の輝度情報から求めた最大階調情報値、中間階調情報値、最小階調情報値、平均輝度階調情報値に基づいて、１または複数フレーム分の情報によりコンテンツを分類しているため、入力映像信号に対してコンテンツの分類結果に応じて適切に映像表示特性の補正を行うことができる。
【００１２】
また、シーンチェンジが発生したタイミングで、映像補正部や表示部に対して映像表示特性の切換えを行っているので、切換えに伴う画質の変化が気にならないようにすることができる。
【発明を実施するための最良の形態】
【００１３】
図１は、本発明の実施の形態に係る映像表示装置の構成を示すブロック図である。本実施の形態に係る映像表示装置は、入力端子１と、受信部２と、映像処理装置３と、表示部４とを備えている。
【００１４】
入力端子１には、テレビやコンピューター等で用いられている所定の形式の映像信号Ｄａが入力される。受信部２は、入力端子１に入力された映像信号Ｄａを受信して、当該映像信号Ｄａを映像処理装置で処理可能な形式に変換して映像信号Ｄｂとして出力する。例えば受信部２は、映像信号Ｄａを、輝度信号Ｙを含むいくつかのデジタル形式の映像信号に変換して映像信号Ｄｂとして出力する。受信部２は、入力された映像信号Ｄａがアナログ形式の信号の場合にはアナログ／デジタル変換器などで構成され、入力された映像信号Ｄａがデジタル形式の信号の場合にはその形式に適合した所定の復調器等などで構成される。
【００１５】
映像処理装置３は、輝度情報検出部９、コンテンツ特徴検出部１０、複数コンテンツ特徴検出部１１、補正制御部６、映像補正部５、フレームバッファ７、シーンチェンジ検出部１２、及び彩度情報検出部８を備えている。
受信部２から出力された映像信号Ｄｂは、映像処理装置３の輝度情報検出部９、彩度情報検出部８及びフレームバッファ７に入力される。
【００１６】
フレームバッファ７は映像信号Ｄｂを１または複数フレームメモリに蓄え、１または複数フレーム期間遅延して映像信号Ｄｃとして映像補正部５に出力する。
【００１７】
輝度情報検出部９は、受信部２から出力される映像信号Ｄｂに含まれる輝度信号Ｙを受け、１フレーム分の輝度信号Ｙの各画素における輝度より、輝度情報値Ｙｉを検出する。輝度情報検出部９は、輝度情報値Ｙｉをコンテンツ特徴検出部１０及びシーンチェンジ検出部１２に出力する。
【００１８】
コンテンツ特徴検出部１０は、輝度情報検出部９から出力される輝度情報値Ｙｉをもとに各フレームの映像コンテンツの特徴を判定し、コンテンツ特徴判定値Ｊｉを複数コンテンツ特徴検出器１１に出力する。
【００１９】
複数コンテンツ特徴検出部１１は複数フレーム分のコンテンツ特徴判定値Ｊｉより、変動の少ない映像コンテンツ判定（一時的変動の影響を受けにくいコンテンツ判定）を行い、より尤もらしい判定結果としての、複数コンテンツ特徴判定値Ｆｉを補正制御部６に出力する。区別のため、コンテンツ特徴判定値Ｊｉを「フレーム特徴判定値」と呼び、複数コンテンツ特徴判定値Ｆｉを単に「コンテンツ特徴判定値」と呼ぶことがある。
【００２０】
シーンチェンジ検出部１２では輝度情報検出部９から出力される輝度情報値Ｙｉをもとにシーンチェンジを判定し、シーンチェンジが起こった場合に、シーンチェンジ検出信号ＳＣを発生し（シーンチェンジ検出信号ＳＣを有意レベル（例えば“１”とし）、補正制御部６に出力する。
【００２１】
彩度情報検出部８は、受信部２から出力される映像信号Ｄｂに含まれる色差信号Ｃｂ、Ｃｒを受け、彩度情報値Ｓａを検出する。彩度情報値Ｓａは、例えば以下のように生成される。各画素における色差信号Ｃｂ、Ｃｒを用い、例えば
【００２２】
【数１】
2008193285.tif 000003
【００２３】
の演算により各画素における彩度値Ｃを求める。なお、映像信号ＤｂがＲＧＢフォーマットの場合、既知のマトリクス演算により、色差成分を算出してから彩度値Ｃを求めても良い。また、Ｒ、Ｇ、Ｂ信号の最大値、最小値を用いることによって彩度値Ｃを求めても良い。
【００２４】
彩度情報検出部８は、彩度値Ｃを１フレーム分、もしくは複数フレーム分にわたって解析することにより、彩度情報値Ｓａを求める。より具体的には、各画素における彩度値Ｃの１フレーム分または複数フレーム分のヒストグラムを生成し、最大値、平均値、もしくは最小値を求め、彩度情報値Ｓａとすることが考えられる。彩度情報検出部８は、彩度情報値Ｓａを補正制御部６に出力する。なお、複数フレーム分のヒストグラムを生成する代わりに、１フレーム分のヒストグラムから求めた最大値、平均値、もしくは最小値を、複数フレーム分参照して彩度情報値Ｓａを求めることもできる。
【００２５】
補正制御部６は、複数コンテンツ特徴判定値Ｆｉを基にそれぞれのコンテンツの特徴に応じた映像補正値Ｐｉを、シーンチェンジ検出信号ＳＣの発生のタイミングで映像補正部５に出力する。また、補正制御部６は複数コンテンツ特徴判定値Ｆｉに応じた表示部制御値Ｃｉをシーンチェンジ検出信号ＳＣの発生のタイミングで表示部４に出力する。
【００２６】
補正制御部６は、複数コンテンツ特徴判定値Ｆｉおよび彩度情報値Ｓａを基にそれぞれのコンテンツの特徴に応じた映像補正値Ｐｉを、シーンチェンジ検出信号ＳＣの発生のタイミングで映像補正部５に出力する。また、補正制御部６は複数コンテンツ特徴判定値Ｆｉに応じた表示部制御値Ｃｉをシーンチェンジ検出信号ＳＣの発生のタイミングで表示部４に出力する。
【００２７】
映像補正部５は、入力された映像補正パラメータＰｉを用いて映像信号Ｄｃに対して映像補正を行い、それを映像信号Ｄｄとして表示部４に出力する。
【００２８】
表示部４は、映像補正部５で画質補正された映像信号Ｄｄに基づいて映像を表示する。表示に際し、表示部４は表示部制御値Ｃｉに基づいて表示制御を行う。表示部４は、例えば、液晶ディスプレイ、ＤＭＤ（Ｄｉｇｉｔａｌ  Ｍｉｃｒｏｍｉｒｒｏｒ  Ｄｅｖｉｃｅ）ディスプレイ、ＥＬ（Ｅｌｅｃｔｏｒｏ‐Ｌｕｍｉｎｅｓｃｅｎｃｅ）ディスプレイ、プラズマディスプレイ、ＣＲＴ（Ｃａｔｈｏｄｅ−Ｒａｙ  Ｔｕｂｅ）ディスプレイであって、反射型、透過型、あるいは自発光デバイスなどのあらゆる表示手段を適用できる。
【００２９】
図２は輝度情報検出部９の一例を示すブロック図である。図２に示される輝度情報検出部９は、ヒストグラム生成部９１ｙと、最大階調検出部９２ｙと、中間階調検出部９３ｙと、最小階調検出部９４ｙと、平均輝度階調検出部９５ｙとを備えている。本実施の形態では、輝度情報検出部９は、上記最大階調、中間階調、最小階調、平均輝度の４つの値を検出するが、検出する値の数をより多くしても良く、逆により少なくすることで簡略化を図っても良い。
【００３０】
受信部２から出力された映像信号Ｄｂに含まれる輝度信号Ｙは、ヒストグラム生成部９１ｙに入力される。ヒストグラム生成部９１ｙは、１フレーム分の映像信号Ｄｂにおける輝度信号Ｙのヒストグラムを生成する。
【００３１】
入力映像信号Ｄｂがインターレース信号の場合は、２フィールド分の映像信号が１フレーム分の映像信号となるため、２フィールド分を１フレームとして、輝度信号Ｙのヒストグラムを生成する。
【００３２】
入力される映像信号ＤｂがＲＧＢフォーマットの場合、既知のマトリクス演算により、Ｙ信号成分を算出してからヒストグラム生成部９１ｙに入力しても良い。また、演算回路の簡略化のために、Ｒ、Ｇ、Ｂ信号の何れか１つの信号、例えばＧ信号を輝度信号Ｙの代わりに用いても良い。
【００３３】
輝度情報検出部９では１フレーム分の映像信号Ｄｂにおける輝度信号Ｙのヒストグラムを生成するが、映像有効期間のみの累積でよい。後段の画質補正の切換え処理を映像ブランキング期間内で終了させるのが望ましいため、映像有効期間が終わると、速やかに輝度情報を出力するのが望ましい。映像有効期間以外の映像ブランキング期間は黒（階調０）であるため、映像ブランキング期間もヒストグラムの累積の計測を行うと、黒側のヒストグラムが大きくなる不具合が生じる。また、映像ブランキング期間にはデジタルデータ情報が重畳されている場合があり、その場合には、輝度情報検出部９で生成される輝度情報が、上記重畳されたデジタルデータ情報の影響を受けてしまう不具合が起きることがある。
【００３４】
最大階調検出部９２ｙは、ヒストグラム生成部９１ｙで生成されたヒストグラムから、１フレーム分の映像信号Ｄｂにおける最大輝度階調値を検出して、最大階調情報値Ｙｉｍａｘとして出力する。
中間階調検出部９３ｙは、ヒストグラム生成部９１ｙで生成されたヒストグラムから、１フレーム分の映像信号Ｄｂにおける中間輝度階調値を検出して、これを中間階調情報値Ｙｉｍｉｄとして出力する。
最小階調検出部９４ｙは、ヒストグラム生成部９１ｙで生成されたヒストグラムから、１フレーム分の映像信号Ｄｂにおける最小輝度階調値を検出して、これを最小階調情報値Ｙｉｍｉｎとして出力する。
平均輝度階調検出部９５ｙは、ヒストグラム生成部９１ｙで生成されたヒストグラムから、１フレーム分の映像信号Ｄｂにおける平均輝度階調値を検出して、これを平均輝度階調情報値Ｙｉａｖｅとして出力する。
【００３５】
ここで、「最大階調情報値」とは、最大輝度階調値あるいは所定方法で検出される、上記最大輝度階調値に準ずる値を意味している。また「中間階調情報値」とは、中間輝度階調値あるいは所定方法で検出される上記中間輝度階調値に準ずる値を意味している。また「最小階調情報値」とは、最小輝度階調値あるいは所定方法で検出される、上記最小輝度階調値に準ずる値を意味している。また「平均輝度階調情報値」とは、平均輝度階調値あるいは所定方法で検出される、上記平均輝度階調値に準ずる値を意味している。これらについては後で詳細に説明する。
【００３６】
図３は、ヒストグラム生成部９１ｙが生成するヒストグラムの一例を示す図である。図中の横軸は、それぞれ複数の階調値から成る領域即ち階級の代表値を示し、縦軸は１フレーム中の各階級の度数、つまり１フレーム中の、各階級に属する階調値を持つ画素の数、ならびに後述の累積度数を示している。
なお以下の説明では、映像信号Ｄｂの輝度信号Ｙは、例えば８ビットのデータで構成されており、その階調値が“０”から“２５５”までの値を取り、その階調数は“２５６”であるとする。映像信号Ｄｂは本実施の形態では８ビットで表されたものであるが、他のビット数、例えば１０ビット、６ビットで表されたものであっても良い。
【００３７】
図３に示されるヒストグラム生成部９１ｙは、例えば２５６の階調を８階調ごとに３２の領域に分割し、当該３２の領域をヒストグラムの階級としている。そして、各階級での中心値付近の値、本例では、当該中心値が整数の場合には、当該中心値それ自体、当該中心値が整数ではない場合には、当該中心値に最も近くそれよりも大きい整数値を当該階級の代表値としている。例えば、階調値“０”から“７”までで構成される階級では、中心値は“３．５”となるため、当該階級の代表値は“４”となる。図３の横軸の数字は各階級の代表値を示している。
【００３８】
なお、本例のように階級の中心値が整数でなく小数である場合、該小数を階級の代表値として採用しても良い。なお、階級の中心値が小数の場合に、上記の例のように、該中心値付近の整数を階級の代表値として採用することによって、演算量を低減できる。
【００３９】
このように、本実施の形態のヒストグラム生成部９１ｙでは、８つの連続する階調値からなる領域を一つの階級としているため、図３に示されるヒストグラムの各度数は、８階調分の信号の総和となる。例えば、横軸の数値４に示された度数は、１フレーム分の輝度信号Ｄｂに含まれる、階調値０から階調値７までの信号の総和に相当する。
【００４０】
なお、図３のヒストグラムとは異なり、各階調値ごとに度数を計数してヒストグラムを生成してもよい。つまり、各階級を一つの階調値で構成するようにしても良い。この場合には、各階級の代表値は当該階級を構成する階調値そのものとなる。
【００４１】
上記の例では、２５６個の階調値を８階調値ごとに３２の階級に分割しているが、階級の数は３２以外でも良い。また、ヒストグラムの分割数や範囲を自由に設定して良い。例えば、階調数が“２５６”の場合、階調値“０”から“３２”と“２００”から“２５５”の範囲を４階調刻みの分割し、その他を２４刻みに分割しても良い。これにより、演算量を低減でき、また、最小階調情報値と最大階調情報値の生成の条件を細かく設定でき、精度が向上する。
【００４２】
最大階調検出部９２ｙは、以上のようにして生成されたヒストグラムにおいて、階級の最大から最小に向かって度数を累積し、それによって得られる累積度数ＨＹＷが所定の閾値ＹＡ（例えば、全画素の１０％にあたる値）よりも初めて大きくなる階級の代表値を抽出する。そして最大階調検出部９２ｙは、抽出した値を最大階調情報値Ｙｉｍａｘとして出力する。なお、最小から最大に向かって度数を累積し、それによって得られるＨＹＢが、全画素数から上記閾値ＹＡを引いた値（例えば全画素数の９０％にあたる値）よりも初めて大きくなる階級の代表値を最大階調値情報値Ｙｉｍａｘとして抽出しても実質的に同じである。
【００４３】
一方、最小階調検出部９４ｙは、ヒストグラム生成部９１ｙで生成されたヒストグラムにおいて、最小の階級から最大の階級に向かって度数を累積し、それによって得られる累積度数ＨＹＢが所定の閾値ＹＢ（例えば、全画素の１０％にあたる値）よりも初めて大きくなる階級の代表値を抽出する。そして最小階調検出部９４ｙは、抽出した代表値を最小階調情報値Ｙｉｍｉｎとして出力する。
【００４４】
また、中間階調検出部９３ｙは、以上のようにして生成されたヒストグラムにおいて、最小の階級から最大の階級に向かって度数を累積し、それによって得られる累積度数ＨＹＢが所定の閾値ＹＣ（たとえば画素数全体の半分にあたる値）よりも初めて大きくなる階級の代表値を抽出する。そして中間階調検出部９３ｙは、抽出した代表値を中間階調情報値Ｙｉｍｉｄとして出力する。尚、中間階調の検出は、累積度数ＨＹＷを用いてもよい。当然のことながら、閾値ＹＣを全画素の半分にあたる値に設定した場合には、ＨＹＢを用いた場合と同じ値が得られる。
【００４５】
図３に示されるヒストグラムでは、累積度数ＨＹＷが閾値ＹＡよりも初めて大きくなる階級の代表値は“１８８”であるため、この“１８８”が最大階調情報値Ｙｉｍａｘとなる。このように、最大階調情報値Ｙｉｍａｘは１フレーム分の映像信号Ｄｂにおける最大階調値“２０４”ではなく、累積度数ＨＹＷ及び閾値ＹＡを用いて検出された値である。なお、処理の軽減のため最大階調値自体を最大階調情報値として用いてもよい。これは最小階調情報値についても同様である。
【００４６】
また図３の例では、累積度数ＨＹＢが閾値ＹＢよりも初めて大きくなる階級の代表値が“２０”であるため、この“２０”が最小階調情報値Ｙｉｍｉｎとなる。この最小階調情報値Ｙｉｍｉｎは、１フレーム分の映像信号Ｄｂにおける最小階調値ではなく、累積度数ＨＹＢ及び閾値ＹＢを用いて検出された値となる。
【００４７】
そして、累積度数ＨＹＢが閾値ＹＣよりも初めて大きくなる階級の代表値は“７６”であるため、この“７６”が中間階調情報値Ｙｉｍｉｄとなる。通常、この中間階調情報値Ｙｉｍｉｄは、１フレーム分の映像信号Ｄｂにおける全体の画素数の半分（５０％）に達したときの階調値となる。
【００４８】
平均輝度階調検出部９５ｙは、映像信号Ｄｂに含まれる輝度信号から、１フレーム分の輝度信号Ｙにおける平均輝度階調値を演算してこれを平均輝度階調情報値Ｙｉａｖｅとして出力する。具体的には、輝度信号の階調値をＹｉ、その輝度信号階調値の画素数をｎＹｉとして平均輝度階調値を下記の式（１）で計算する。
平均輝度階調値＝Σ（Ｙｉ×ｎＹｉ）／ΣｎＹｉ    …（１）
この平均輝度階調値を平均輝度階調情報値Ｙｉａｖｅとして出力する。代わりに、この平均輝度階調値を含む階級の代表値を平均輝度階調情報値Ｙｉａｖｅとして出力することしても良い。
【００４９】
なお本例では、累積度数ＨＹＷ，ＨＹＢ等は、ヒストグラム生成部９１ｙで生成しているが、最大階調検出部９２ｙ及び中間階調検出部９３ｙ、最小階調検出部９４ｙ、平均輝度階調検出部９５ｙ内で生成しても良い。
【００５０】
また、上記の例では、ヒストグラム生成部９１ｙにより、ヒストグラムを均等に分割しているが、ヒストグラムを不均等に分割し、度数を計測する対象となる階調値の範囲を自由に設定できるように構成して良い。刻み値の選定は、検出したいコンテンツの特徴に合わせて選択してもよい。
【００５１】
図４はコンテンツ特徴検出部１０の一例を示すブロック図である。図４に示されるコンテンツ特徴検出部１０は、最大輝度判定部１０１ｙと、中間輝度判定部１０２ｙと、最小輝度判定部１０３ｙと、平均輝度判定部１０４ｙと、コンテンツ特徴判定部１０５ｙとを備えている。
【００５２】
輝度情報検出部９から出力された最大階調情報値Ｙｉｍａｘは最大輝度判定部１０１ｙに入力され、中間階調情報値Ｙｉｍｉｄは中間輝度判定部１０２ｙに入力され、最小階調情報値Ｙｉｍｉｎは最小輝度判定部１０３ｙに入力され、平均輝度階調情報値Ｙｉａｖｅは平均輝度判定部１０４ｙに入力される。
【００５３】
最大輝度判定部１０１ｙは、最大階調情報値Ｙｉｍａｘから最大輝度の大きさを分類して、その分類の結果得られる情報を最大輝度判定値Ｄ１０１として出力する。
中間輝度判定部１０２ｙは、中間階調情報値Ｙｉｍｉｄから中間輝度の大きさを分類して、その分類の結果得られる情報を中間輝度判定値Ｄ１０２として出力する。
最小輝度判定部１０３ｙは、最小階調情報値Ｙｉｍｉｎから最小輝度の大きさを分類して、その分類の結果得られる情報を最小輝度判定値Ｄ１０３として出力する。
平均輝度判定部１０４ｙは、平均輝度階調情報値Ｙｉａｖｅから平均輝度の大きさを分類して、その分類の結果得られる情報を平均輝度判定値Ｄ１０４として出力する。
【００５４】
具体的には、図５に示すように最大輝度判定部１０１ｙは、最大階調情報値Ｙｉｍａｘが、所定の第１の最大輝度判定閾値Ｙｍａｘａより小さいか、上記第１の最大輝度判定閾値Ｙｍａｘａとそれより大きな第２の所定の最大輝度判定閾値Ｙｍａｘｂの間の値であるか、上記第２の最大輝度判定閾値Ｙｍａｘｂより大きいかを判定し、３つの分類情報値「Ｙｉｍａｘ小」、「Ｙｉｍａｘ中」、「Ｙｉｍａｘ大」のいずれかを最大輝度判定値Ｄ１０１として出力して、コンテンツ特徴検出部１０に供給する。図５の例の場合は、第１の最大輝度判定閾値Ｙｍａｘａと第２の最大輝度判定閾値Ｙｍａｘｂの間の値であるため、「Ｙｉｍａｘ中」の判定値が出力され、コンテンツ特徴判定部１０５ｙに供給される。
【００５５】
また、中間輝度判定部１０２ｙは、図６に示すように、中間階調情報値Ｙｉｍｉｄが、所定の第１の中間輝度判定閾値Ｙｍｉｄａより小さいか、上記第１の中間輝度判定閾値Ｙｍｉｄａとそれより大きな所定の第２の中間輝度判定閾値Ｙｍｉｄｂの間の値であるか、第２の中間輝度判定閾値Ｙｍｉｄｂより大きいかを判定し、３つの分類情報値「Ｙｉｍｉｄ小」、「Ｙｉｍｉｄ中」、「Ｙｉｍｉｄ大」のいずれかを中間輝度判定値Ｄ１０２として出力して、コンテンツ特徴判定部１０５ｙに供給する。図６の例の場合は、第１の中間輝度判定閾値Ｙｍｉｄａと第２の中間輝度判定閾値Ｙｍｉｄｂの間の値であるため、「Ｙｉｍｉｄ中」の判定値が出力され、コンテンツ特徴判定部１０５ｙに供給される。
【００５６】
また、最小輝度判定部１０３ｙは、図７に示すように、最小階調情報値Ｙｉｍｉｎが、所定の第１の最小輝度判定閾値Ｙｍｉｎａより小さいか、上記第１の最小輝度判定閾値Ｙｍｉｎａとそれより大きな所定の第２の最小輝度判定閾値Ｙｍｉｎｂの間の値であるか、第２の最小輝度判定閾値Ｙｍｉｎｂより大きいかを判定し、３つの分類情報値「Ｙｉｍｉｎ小」、「Ｙｉｍｉｎ中」、「Ｙｉｍｉｎ大」のいずれかを最小輝度判定値Ｄ１０３として出力して、コンテンツ特徴判定部１０５ｙに供給する。図７の例の場合は、第１の所定の最小輝度判定閾値Ｙｍｉｎａより小さい値であるため、「Ｙｉｍｉｎ小」の判定値が出力され、コンテンツ特徴判定部１０５ｙに供給される。
【００５７】
また、平均輝度判定部１０４ｙは、上記の式（１）により計算された平均輝度階調情報値Ｙｉａｖｅが、所定の第１の平均輝度判定閾値Ｙａｖｅａより小さいか、上記第１の平均輝度判定閾値Ｙａｖｅａとそれより大きな所定の第２の平均輝度判定閾値Ｙａｖｅｂの間の値であるか、上記第２の平均輝度判定閾値Ｙａｖｅｂより大きいかを判定し、３つの分類情報値「Ｙｉａｖｅ小」、「Ｙｉａｖｅ中」、「Ｙｉａｖｅ大」のいずれかを平均輝度判定値Ｄ１０４として出力して、コンテンツ特徴判定部１０５ｙに供給する。
【００５８】
コンテンツ特徴判定部１０５ｙは、４つの判定値Ｄ１０１，Ｄ１０２，Ｄ１０３，Ｄ１０４に基いてコンテンツの種類を判別し（即ち、コンテンツを分類し）、判定結果（分類結果）を出力する。
上記のように、４つの判定値Ｄ１０１，Ｄ１０２，Ｄ１０３，Ｄ１０４はそれぞれ３つの値（「小」、「中」、「大」）のいずれかを取り得るので、４つの判定値の組み合わせは３×３×３×３＝８１通り存在する。従って、４つの判定値に基づくコンテンツの分類は、最大８１の種類に分類することができる。図８は、そのような８１通りの組合せと、それぞれの組合せに対応する分類情報としてのコンテンツ特徴判定値Ｊ１〜Ｊ８１を示す。
図９は、４つの判定値の組合せに基づいて、コンテンツを５種類に分類する（５種類のいずれかであるかの判定をする）場合の分類条件と、各分類条件を満たす場合の分類結果を示す情報（分類情報）としてのコンテンツ特徴判定値Ｊ１〜Ｊ５を示す。図９において、４つの判定値が、Ｄ１０１〜Ｄ１０４の欄に示される組合せであるときには、Ｊｉの欄に示される種類に属するものである旨の判定がなされる。例えば、最も上の行に記載されているように、Ｄ１０４が「小」、Ｄ１０３が「中」、Ｄ１０２が「大」、Ｄ１０１が中であれば、Ｊ１で表される種類に属するものである旨の判断がなされる。
図９の右端の「番組のジャンル」の欄には、種類Ｊ１〜Ｊ５のフレームが頻繁に現れる番組の種類（ジャンル）が示されている。例えば、スポーツや自然画の多い番組においては、種類Ｊ１に該当する４つの判定値の組合せを生じるフレームが頻繁に現れることを意味する。
【００５９】
例えば、「スポーツ」（Ｊ１）は、スポーツ番組や自然画の多い番組を意味する。この主の番組では、例えばサッカーや野球の芝生のグリーンのあるような映像でヒストグラム分布はガウス分布または平均的に全ての階調に広がっている特徴を持つことが多い。
「音楽」（Ｊ２）は、主に音楽のミュージッククリップ等を意味する。この種の番組では、明暗を使った映像が多く、白側と黒側に高い分布がある特徴を持つことが多い。
「スタジオ」（Ｊ３）は、スタジオ内撮影の多いバラエティバングや報道番組を意味する。この種の番組では、平均輝度が高く、輝度分布が白の側に多い特徴を持つことが多い。
「映画」（Ｊ４）では、暗いシーンが多く、黒側に高い分布がある特徴を持つことが多い。
「ドラマ・アニメ」（Ｊ５）は、主にドラマやアニメを意味する。この種の番組では、黒が少ないが低い輝度に高い分布がある特徴を持つことが多い。
なお、図９の表における「番組のジャンル」は便宜上の呼び名であって、例えば、スポーツをテーマにした映画の場合には、映画（Ｊ４）ではなく、スポーツ・自然画（Ｊ１）の特徴を持つフレームが多く現れる。
【００６０】
図９の種類Ｊｉと、番組のジャンルとの間に上記のような相関関係があるので、図９のように分類を行った場合には、各フレームがどのジャンルの番組に頻繁に現れるものであるのかの判定を行うことができる。
【００６１】
なお、上記の例では、コンテンツ特徴判定部１０５ｙが４つの判定値Ｄ１０１，Ｄ１０２，Ｄ１０３，Ｄ１０４に基づいて種類の判定を行っているが、コンテンツ特徴判定部１０５ｙとして、上記の４つの判定値のうちの３つ以下の判定値のみを使用して判定を行う構成のものを用いても良い。例えば平均輝度判定値Ｄ１０４のみに基きコンテンツ特徴を分類することとしても良く、平均輝度判定値Ｄ１０４と最大輝度判定値Ｄ１０１の２つに基き分類を行うこととしても良い。即ち、コンテンツ特徴の判定に用いられる情報は選択可能である。
このように、情報量を減らすことによって、コンテンツ特徴検出の速度を速め、必要なメモリ容量を減らすことが出来る。また、各輝度判定値を「大」、「中」、「小」の３通り（３段階）に判定したが、３通り以外でもよい。
【００６２】
後段の画質補正の切換え処理を映像ブランキング期間内で終了させるために、コンテンツ特徴検出部１０では、コンテンツ特徴判定を行ったコンテンツ特徴判定値Ｊｉを速やかに出力するのが望ましい。すなわち、１フレームごとに輝度情報検出部９から輝度情報値Ｙｉが、映像有効期間が終わった直後に出力されるため、その映像有効期間に続く映像ブランキング期間内に、即ち次のフレームの映像有効期間が開始される以前に、速やかにコンテンツ特徴判定値Ｊｉを出力する。
【００６３】
なお、コンテンツ特徴検出において、種類判定の精度を上げるために、既知のインターレース・プログレッシブ（ＩＰ）変換回路に備えているフィルムソースの検出、すなわち映画の判定結果や、特許文献１にあるようなデジタル番組表のジャンル情報を併用しても良い。
【００６４】
以上のように、コンテンツ特徴検出部１０では、各フレームの映像信号から得られた輝度ヒストグラムに基いて、各フレームが、どの種のコンテンツに多く現れる特徴を備えるものであるかの判定（分類）の結果としてコンテンツ特徴判定値Ｊｉを生成することができる。
【００６５】
複数コンテンツ特徴検出部１１は、相連続する複数フレーム分のコンテンツ特徴判定値Ｊｉに対する解析処理を行い、複数コンテンツ特徴判定値Ｆｉを生成し、補正制御部６に供給する。
複数コンテンツ特徴判定値Ｆｉは、コンテンツ特徴判定値Ｊｉに対応するものであり、Ｆｉの添え字ｉの取り得る値の範囲は、Ｊｉの添え字ｉの取り得る値の範囲と同じである。例えば、図８に示すように、Ｊｉの添え字ｉが１乃至８１のいずれかを取る場合、Ｆｉの添え字ｉも１乃至８１のいずれかを取る。同様に、図９に示すように、Ｊｉの添え字ｉが１乃至５のいずれかを取る場合、Ｆｉの添え字ｉも１乃至５のいずれかを取る。
添え字ｉが特定の値（例えば、１乃至５のいずれか）のコンテンツ特徴判定値Ｊｉが他のものよりも多く発生したときに、同じ添え字ｉの複数コンテンツ特徴判定値Ｆｉが生成される。
このような処理を行うことにより、１フレームのデータのみに基づく判定結果により生成されたコンテンツ特徴情報値Ｊｉと比較して、より精度が高く、安定したコンテンツ判定（どの種類に多く現れるコンテンツであるかの判定）の結果を示す情報値（Ｆｉ）を生成することができる。
【００６６】
以下に、複数フレーム分のコンテンツ特徴判定値Ｊｉに対する解析処理による複数コンテンツ特徴判定値Ｆｉの生成の具体例につき説明する。以下では、図９のように５種類に分類する場合を想定して説明する。
【００６７】
一つの手法（第１の手法）において、複数コンテンツ特徴検出部１１は、順次入力されたコンテンツ特徴判定値Ｊｉを検出し、同一のコンテンツ特徴値Ｊｉ（ｉ＝ｘ）が最も早く所定の回数（Ｎ）発生した場合に、コンテンツ特徴判定値Ｊｉ（ｉ＝ｘ）に対応する複数コンテンツ特徴判定値Ｆｉ（ｉ＝ｘ）を生成する（即ち、コンテンツが、Ｊｉ又はＦｉ（ｉ＝ｘ）で表される種類に該当するとの判定を行う）。
【００６８】
具体的には、例えば上記の所定の回数Ｎが１０である場合、図１０に示すように１フレーム毎のコンテンツ特徴判定値Ｊｉが上記の所定の回数（Ｎ＝１０）となるまで、複数フレーム分判断する。本例において、最も早く上記所定の回数（Ｎ＝１０）に達したコンテンツ特徴判定値Ｊｉは、Ｊ３であるため、Ｊ３に対応するＦ３が生成され、出力される。
【００６９】
このように第１の手法によれば、順次得られるコンテンツ特徴判定値Ｊｉに基き、最も早く所定回数Ｎに達したコンテンツ特徴判定値Ｊｉ（ｉ＝ｘ）に対応する種類であると判断するため、複数コンテンツ特徴判定値Ｆｉを比較的早期に、比較的高精度で得ることができる。
【００７０】
また、他の手法（第２の手法）においては、複数コンテンツ特徴検出部１１は、順次入力されたコンテンツ特徴判定値Ｊｉを検出し、同一の特徴判定値Ｊｉ（ｉ＝ｘ）が連続して所定回数Ｍ繰り返された場合に、コンテンツ特徴判定値Ｊｉ（ｉ＝ｘ）に対応する複数コンテンツ特徴判定値Ｆｉ（ｉ＝ｘ）を生成する（即ち、コンテンツが、Ｊｉ又はＦｉ（ｉ＝ｘ）で表される種類に該当するとの判定を行う）。
【００７１】
具体的には、例えば上記の所定回数Ｍが１０である場合、図１１に示すように１フレーム毎のコンテンツ特徴判定値Ｊｉを、複数フレーム分判断する。本例において、４フレーム目から１３フレーム目まで連続して所定回数（Ｍ＝１０）繰り返されたコンテンツ特徴判定値ＪｉはＪ３である。そのため、Ｊ３に対応するＦ３が生成され、出力される。
【００７２】
このように第２の手法によれば、順次得られるコンテンツ特徴判定値Ｊｉに基づき、最も早く連続して所定回数Ｍ繰り返されたコンテンツ特徴判定値Ｊｉ（ｉ＝ｘ）に対応する種類であると判断するため、複数コンテンツ特徴判定値Ｆｉを、より高い精度で得ることができる。
【００７３】
また、さらに他の手法（第３の手法）においては、複数コンテンツ特徴検出部１１は、順次入力されたコンテンツ特徴判定値Ｊｉを検出し、所定の検出回数（フレーム数に一致する）Ｋのうち、最も多く出現したコンテンツ特徴判定値Ｊｉ（ｉ＝ｘ）に対応する複数コンテンツ特徴判定値Ｆｉ（ｉ＝ｘ）を生成する（即ち、コンテンツがＪｉ又はＦｉ（ｉ＝ｘ）で表される種類に該当するとの判定を行う）。
【００７４】
具体的には、例えば所定検出回数Ｋが１５である場合、図１２に示すように１フレーム毎のコンテンツ特徴判定値Ｊｉを、所定検出回数（Ｋ＝１５）個のフレーム分判断する。本例において、１５フレーム内における、各コンテンツ特徴判定値の出現度は、Ｊ１が０回、Ｊ２が７回、Ｊ３が６回、Ｊ４，Ｊ５が各１回となる。最大の出現度を持つ特徴判定値Ｊｉは、７回の判定が行われているＪ２である。そのため、Ｊ２に対応するＦ２が生成され、出力される。
【００７５】
このように第３の手法によれば、順次得られるコンテンツ特徴判定値Ｊｉのうち、所定検出回数Ｋ内における計数値が最も大きいコンテンツ特徴判定値Ｊｉ（ｉ＝ｘ）に対応する種類であると判断するため、比較的精度の高い複数コンテンツ特徴判定値Ｆｉを所定フレーム数の期間内に必ず得ることができる。
【００７６】
また、上記の複数コンテンツ特徴検出部１１は、上記第１〜第３の手法の組み合わせにより、複数コンテンツ特徴値の検出を行ってもよい。
【００７７】
例えば、第１の手法と第２の手法を組合せ、コンテンツ特徴判定値Ｊｉの発生回数を計数し、同一のコンテンツ特徴判定値Ｊｉ（ｉ＝ｘ）が第１の所定回数Ｎａに達した後、その特徴判定値Ｊｉ（ｉ＝ｘ）が連続して第２の所定回数Ｎｂに達した場合に、Ｊｉ（ｉ＝ｘ）に対応する複数コンテンツ特徴判定値Ｆｉ（ｉ＝ｘ）を生成することとしても良い。
【００７８】
また、他の組み合わせの手法として、同一のコンテンツ特徴判定値Ｊｉ（ｉ＝ｘ）が最も早く第１の所定回数Ｎａに達したことが、最も早く第２の所定回数Ｎｂ発生したとき、Ｊｉ（ｉ＝ｘ）に対応するＦｉ（ｉ＝ｘ）を生成することとしても良い。言い換えると、特定の値を持つＪｉ（例えばＪｉ（ｉ＝ｘ））が第１の所定回数（Ｎａ回、例えば１０回）発生したら、そのことの発生回数を示す指標Ｆａｉ（ｉ＝ｘ）を１カウントアップし、Ｆａｉ（ｉ＝ｘ）が第２の所定値Ｎｂに達したら（特定の値を持つＪｉ（例えばＪ（ｉ＝ｘ））が第１の所定回数（Ｎａ回、例えば１０回）発生したことが、第２の所定回数（Ｎｂ回、例えば３回）発生したら）、Ｊｉ（ｉ＝ｘ）に対応するＦｉ（ｉ＝ｘ）を生成する。この方法は、上記の第１の手法を二重に行っていると見ることができる。
【００７９】
このように、上記第１〜第３の手法を組合せることで、複数コンテンツ特徴判定値Ｆｉの決定における精度や所要時間の調整が可能となり、順応性に富んだ映像補正が可能となる。
【００８０】
後段の画質補正の切換え処理を映像ブランキング期間内で終了させるために、複数コンテンツ特徴検出部１１では、複数コンテンツ特徴判定を行って生成した複数コンテンツ特徴判定値Ｆｉを、速やかに出力するのが望ましい。そこで、映像有効期間に続く映像ブランキング期間内に、即ち次のフレームの映像有効期間が開始される前に演算を終了し、速やかに複数コンテンツ特徴判定値Ｆｉを出力する。
【００８１】
映像が入力された最初のフレームの、複数コンテンツ特徴検出部１１の出力初期値は、複数フレームの入力情報がないと判定値は不定となってしまうため、１フレームで判断されたコンテンツ特徴検出部１０からの出力コンテンツ特徴判定値Ｊｉを複数コンテンツ特徴判定値Ｆｉとして良い。
【００８２】
本実施の形態に係る複数コンテンツ特徴検出部１１により、例えば同一のジャンル内で、ある１フレームのみコンテンツの内容が大幅に変わった場合においても、当該フレームにおけるコンテンツ特徴判定結果は、複数コンテンツ特徴検出部１１における解析処理により自動的に除去（無視）され、一時的なコンテンツ特徴の変化に対する画質補正の切換えが行われることを防ぐことができる。また、１フレーム毎にコンテンツが切り替わるような映像の場合に、複数コンテンツ特徴検出部１１により、１フレームごとに画質が切り替わることを防止でき、不自然な映像になることを防止することができる。
【００８３】
複数コンテンツ特徴検出部１１による複数コンテンツ特徴検出は、輝度情報値から、映像コンテンツの特徴量をより正確に判定する手法として、映像表示装置に限らず映像に関わる他分野での利用も考えられる。他の分野での利用として、例えば、ハードディスクやＤＶＤ等の映像レコーダー等の映像記録装置が挙げられる。
【００８４】
複数コンテンツ特徴検出部１１は、複数フレームに基づく判断を行わず複数コンテンツ特徴判定値Ｆｉとして、１フレームのみの判断であるコンテンツ特徴判定値Ｊｉを出力する構成も考えられる。すなわち、１フレーム分でコンテンツ特徴検出を行うこととして、複数コンテンツ特徴検出部１１を省略してもよい。その場合、コンテンツ特徴検出部１０から出力されるコンテンツ特徴判定値ＪｉがＦｉとして補正制御部６に出力される。この場合、フレーム毎にコンテンツ特徴判定を行い、フレーム毎に画質補正を行っているため、リアルタイムに最適な画質補正を行う効果がある。
【００８５】
補正制御部６は、複数コンテンツ特徴判定値Ｆｉ及び彩度情報値Ｓａを基にそれぞれのコンテンツの特徴に対応し画質調整するための映像補正値Ｐｉを、シーンチェンジ検出信号ＳＣの発生のタイミングで映像補正部５に出力する。また、補正制御部６は複数コンテンツ特徴判定値Ｆｉに対応した表示部制御値Ｃｉをシーンチェンジ検出信号ＳＣの発生のタイミングで表示部４に出力する。また、補正制御部６は複数コンテンツ特徴判定値Ｆｉ及び彩度情報値Ｓａが切り替わっても、シーンチェンジ検出信号ＳＣが入力されるまで、映像補正値Ｐｉ、表示部制御値Ｃｉは出力しない。
【００８６】
複数コンテンツ特徴判定値Ｆｉは複数フレームの情報に基づいてコンテンツ特徴判定を行うため、コンテンツ判定まで時間がかかる。彩度情報値Ｓａについても同様である。そのため、判定された時はコンテンツのシーンの切り替わりでない場合がある。連続したシーンの途中で画質が突然変わると不自然に感じてしまうが、補正制御部６はシーンチェンジ検出されたタイミング、すなわち、シーンの切り替わり時に、画質補正の切換えを行うため、画質が切り替わっても不自然に感じないという効果がある。
【００８７】
補正制御部６は、シーンチェンジ検出信号ＳＣが入力された時、映像ブランキング期間内に映像補正値Ｐｉ、表示部制御値Ｃｉを出力し、次フレームの映像が始まる前に画質補正の切換えが終了していることが望ましい。
【００８８】
図１３は、複数コンテンツ特徴検出部１１で生成された複数コンテンツ特徴判定値Ｆ１〜Ｆ５に対して補正制御部６から出力される制御値、即ちそれぞれの制御項目のための映像補正値Ｐｉ及び表示部制御値Ｃｉの一例を示す。
なお、上記の例では、輝度情報からコンテンツ特徴を検出し、複数の種類（それぞれ番組のジャンルに対応する）に分類したが、複数コンテンツ判定値によるジャンル判定の結果に基づき、ジャンルの傾向や特性を考慮に、輝度以外の画質についてもユーザーの好みやシステムに応じて分類を行っても良い。
また分類情報に基づく画質制御の方法も、ユーザーの好みやシステムに応じ図１３に示した制御値以外のものの制御により行っても良い。
【００８９】
補正制御部６から映像補正部５に出力される複数コンテンツ判定値Ｆｉに対する映像補正値Ｐｉは、例えば、映像コントラストによる輝度制御、シャープネスによる鮮鋭度制御、３次元（３Ｄ）ノイズリダクションによるノイズ除去制御、ガンマ補正による輝度補正等の制御項目に関するものである。補正制御部６から表示部４に出力される表示部制御値Ｃｉは、例えば、液晶ディスプレイの場合、オーバードライブによる動画応答性制御、バックライトによる輝度制御等である。また、本実施の形態の映像表示装置では図示していないが、テレビジョン受信機等の場合は、音声出力部も備えるため、コンテンツ特徴やジャンルに合わせた音声補正も行える。なお、図１３において、「高」、「中」、「低」は、相対的な値であり、例えばそれぞれの制御項目に関し補正の程度を表す指標が第１の閾値未満であれば「低」であり、第１の閾値よりも大きい第２の閾値以上であれば「高」であり、第１の閾値以上で第２の閾値未満であれば「中」であることを意味する。
【００９０】
図１３においては、例えばスポーツ（Ｆ１）の場合、輝度は中間調の多い、平均的に全ての階調に広がっている特徴があるので、ガンマ補正はフラット、コントラストは中、バックライトは中とし、自然画であるので、シャープネスは低とし、スポーツ中に激しい動きがあるので、液晶パネルの動画応答改善は高とし、３次元処理の３Ｄノイズリダクションは動画では尾引きする場合があるため低とする。
音楽（Ｆ２）の場合、明暗を使った派手な映像が多いので、派手な画質にするため、コントラストは高、ガンマ補正は黒側と白側を持ち上げた補正とし、バックライトは高、オーバードライブは高とし、人が主なので、シャープネスは中、３Ｄノイズリダクションは中とする。
スタジオ（Ｆ３）の場合、平均輝度が高く、明るい画面が多いので、ガンマ補正は白側を伸ばす補正とし、明るくて目が疲れやすいので輝度は抑え気味で、コントラストは低、バックライトは中とし、ニュースとかデータ画面が多いので、シャープネスは高とし、ソースはあまりＳＮが良くないので３Ｄノイズリダクションは高とし、動きは普通であるので、オーバードライブは中とする。
映画（Ｆ４）の場合、暗い画面が多いので、コントラストは高、ガンマ補正は黒側を伸ばすような補正とし、黒側の輝度を沈めてコントラスト感を出すためバックライトは低とし、フィルムらしくしっとりした画質にしたいため、シャープネスは低とし、映画の場合ノイズをわざと混入する映像効果があるため、３Ｄノイズリダクションは低とし、動きは普通のためオーバードライブは中とする。
ドラマ・アニメ（Ｆ５）の場合、やや低い輝度の画素の数が多い傾向があるため、コントラストは高、ガンマ補正は中間調を持ち上げるような補正とし、バックライトは中とし、アニメは輪郭が多いため、シャープネスは中とし、アニメは原色が多いため、動きは少ないため、オーバードライブは低とし、ドラマはまあまあのノイズがあるため、３Ｄノイズリダクションは中とする。
なお、これらの画質設定は一例でユーザーの好みで後から自由に設定して良い。
【００９１】
また、映像補正値Ｐｉとしては、図１３に示したものの他に色の濃さがあり、色の濃さは彩度情報値Ｓａを参照して決定される。補正制御部６は、彩度情報値Ｓａを参照して入力映像の彩度を判定し、適切な色の濃さにて表示されるように映像補正値を決定する。より具体的には、標準彩度値をあらかじめ設定しておき、彩度情報値Ｓａが標準彩度値より小さい場合には、色の濃さを濃くするように映像補正値Ｐｉを決定し、彩度情報値Ｓａが標準彩度値より大きい場合には、色の濃さを薄くするように映像補正値Ｐｉを決定する。ここで、標準彩度値は、設計時にあらかじめ設定することや、ユーザーが好みで設定変更できるように構成することが考えられる。なお、設計時にあらかじめ設定する場合には、表示部４の色再現特性、とくに色再現範囲を考慮して設定することが望ましい。表示部４の色再現範囲が広い場合には、表示部４の色再現範囲が狭い場合と比較すると、同一の映像信号に対して表示される色は濃くなる傾向となる。したがって、表示部４の色再現範囲が広い場合には、標準彩度値は小さくしておくことで表示色が濃くなりすぎるのを抑え、色再現範囲が狭い場合には、標準彩度値は大きくしておき、表示色が薄くなりすぎるのを抑えることが考えられる。
【００９２】
このコントラスト、シャープネス等の画質設定は、ユーザーがリモコンや操作キー等で操作でき、自由に設定変更できるようにしても良い。予め設定されていた画質設定値を後でユーザーが好みで設定変更し、その変更した画質設定値を呼び出すこととして良い。従来は、例えば、映画番組のとき、ユーザーが予め設定していた映画の画質設定をリモコンのボタン操作やオンスクリーンメニューを用い手動で切換え選択していたが、本実施の形態では、番組が映画のコンテンツになると、ユーザーが予め設定した映画の画質設定が自動的に選択され、最適な画質になる効果がある。また、映画番組が終わり、バラエティ番組等の明るいスタジオの映像になった場合、従来は手動でスタジオの画質設定に切換えないと、映画のような暗い映像で適切になるような画質設定のため、白がつぶれたような不適切な画質となることがあったが、本実施の形態では自動的にスタジオの画質に切り替わり、不適切な画質とはならないと言う効果がある。
【００９３】
この複数コンテンツ特徴判定値Ｆｉによる分類結果が得られた場合に、表示画面上にオンスクリーンディスプレイ等で表示しても良い。例えば、映画のコンテンツ特徴判定となった場合、画面上に「映画」の表示をしてよい。また、シーンチェンジ検出のタイミングで画質補正の切換えを行った時に、複数コンテンツ特徴判定値Ｆｉによる分類結果を表示しても良い。
【００９４】
フレームバッファ７は映像信号Ｄｂを１または複数フレーム分メモリに蓄え、遅延させて映像信号Ｄｃとして映像補正部５に出力する。本実施の形態の輝度情報検出部９では、１フレーム分の映像情報の累積値でヒストグラム作成する。そのため、輝度情報検出部９の出力は１フレーム遅れて出力される。そこで、この遅れを補償するため、フレームバッファ７では１フレーム遅延を行うことが望ましい。また、１フレーム遅延を行うことで、後述のシーンチェンジ検出の遅れを補償することができる。なお、フレームバッファ７として、複数コンテンツ特徴検出部１１における処理時間をも補償するための遅延時間を持つものを用いても良い。
【００９５】
このフレームバッファ７は、映像表示装置に通常備えてあるフレーム遅延のある信号処理回路と共用して良い。フレーム遅延のある信号処理回路は、例えば、インターレース・プログレッシブ（ＩＰ）変換回路やフレームレート変換回路、リサイザ回路等がある。すなわち、例えば、ＩＰ変換で１フレーム遅延がある場合、ＩＰ変換回路の前の映像信号を輝度情報検出部９に入力し、ＩＰ変換回路後の映像信号を映像補正部５に供給して画質補正を行うことで、フレームバッファが省略でき、コストの削減になる。
【００９６】
複数コンテンツ特徴検出部１１を、上記の第２の手法（順次入力されたコンテンツ特徴判定値Ｊｉを判断し、同一の特徴判定値Ｊｉ（ｉ＝ｘ）が連続して所定回数Ｍ繰り返された場合に、特定の複数コンテンツ特徴判定値Ｆｉ（ｉ＝ｘ）を生成する手法）のみで行った場合、コンテンツ特徴判定値Ｊｉを発生させた一連のフレームの最初のフレームが輝度情報検出部９に入力されてからＭ＋１フレーム期間経過であり（Ｍフレームではなく、Ｍ＋１フレームとなるのは、輝度情報検出部９での処理に１フレーム期間要するからである）、また該一連のフレームの最初のフレームはシーンチェンジ後の最初のフレームであるので、フレームバッファ７の遅延時間をＭ＋１フレームとすることで、上記Ｍ個の一連のフレームの最初のフレームで画質補正の切換えを行うことができる。
また、上記Ｍ個の一連のフレームの最初のフレームは、シーンチェンジが発生した後の最初のフレームであるので、コンテンツ特徴判定値の変化を見ることでシーンチェンジを検出することもでき、別個のシーンチェンジ検出部１２を設けなくても良い。即ちこの場合には、複数コンテンツ特徴検出部１１がシーンチェンジ検出を行う手段としての役割をも果たす。
上記の方法によれば、シーンチェンジ直後で画質補正の切換えが行われるため、画質が変わったことが目立たない効果がある。
尚、複数コンテンツ特徴検出部１１の第１の手法では、一定数のフレーム後に複数コンテンツ特徴判定値Ｆｉが出力されない。または、第３の手法では、Ｋフレーム前の映像が判断された複数コンテンツ特徴判定値Ｆｉではない可能性がある。
第１の手法を用いる場合、或いは第３の手法を用いる場合、或いはこれらの一方又双方を他の手法と組合せて用いる場合には、フレームバッファ７は輝度情報検出部の１フレーム分のヒストグラム累積のための１フレーム遅延のみで良い。
【００９７】
前述の複数コンテンツ特徴検出部１１を省略し、１フレーム毎の制御を行う構成とした場合、フレームバッファ７で１フレーム分の遅延を行うことで、現フレーム対してコンテンツ特徴判定による画質補正を行うことができ、リアルタイムに画質補正の切換えを行うことができる。また、コンテンツ特徴判定値Ｊｉの変化した時が、シーンチェンジとなるため、シーンチェンジ検出部１２は省略して良い。この場合、コンテンツ特徴検出部１０の出力の変化を検出する手段（図示しない）がシーンチェンジ検出部１２の代わりに、シーンチェンジ検出を行う手段を構成していると見ることができる。
【００９８】
輝度情報検出部９では１フレーム分の映像信号に基づきヒストグラムを生成するため、検出結果が１フレーム遅れてしまう。その遅れを補償するため、フレームバッファ７で、入力される映像信号Ｄｂを１フレーム遅延させることで、映像の現フレームに対しての検出結果とすることができる効果が得られる。また、フレームバッファ７は、複数コンテンツ判定値Ｆｉやシーンチェンジ検出信号ＳＣによる検出判定が映像信号に対して遅れる遅延を解消するような適切な遅延にすることが望ましい。フレームバッファを使用することで、コンテンツ特徴検出結果による画質補正の切換えが、映像信号に対して遅延することなく、自然な画質補正が行える効果が得られる。
【００９９】
シーンチェンジ検出部１２は、輝度情報検出部９から出力される輝度情報値Ｙｉをもとにシーンチェンジを判定し、シーンチェンジが起こった場合に、シーンチェンジ検出信号ＳＣを補正制御部６に出力する。ここで「シーンチェンジ検出信号ＳＣを出力する」とはシーンチェンジ検出信号ＳＣを有意レベル例えば一定時間“１”とすることを意味し、シーンチェンジ検出信号が無意レベル例えば“０”に維持されるときは、「シーンチェンジ検出信号ＳＣは出力されていない」と表現されることもある。シーンチェンジ検出信号ＳＣは、映像有効期間が終了した直後に、できるだけ早く出力するのが望ましい。
【０１００】
図１４はシーンチェンジ検出部１２の一例を示すブロック図である。図１４に示されるシーンチェンジ検出部１２は、最大輝度判定部１２１ｙと、中間輝度判定部１２２ｙと、最小輝度判定部１２３ｙと、平均輝度判定部１２４ｙと、シーンチェンジ判定部１２５ｙとを備えている。
【０１０１】
輝度情報検出部９から出力された最大階調情報値Ｙｉｍａｘは最大輝度判定部１２１ｙに入力され、中間階調情報値Ｙｉｍｉｄは中間輝度判定部１２２ｙに入力され、最小階調情報値Ｙｉｍｉｎは最小輝度判定部１２３ｙに入力され、平均輝度階調情報値Ｙｉａｖｅは平均輝度判定部１２４ｙに入力される。
【０１０２】
最大輝度判定部１２１ｙ、中間輝度判定部１２２ｙ、最小輝度判定部１２３ｙ、及び平均輝度判定部１２４ｙは、図４に示される、コンテンツ特徴検出部１０を構成する、最大輝度判定部１０１ｙ、中間輝度判定部１０２ｙ、最小輝度判定部１０３ｙ、及び平均輝度判定部１０４ｙとそれぞれ同様のものである。
即ち、最大輝度判定部１２１ｙは、最大階調情報値Ｙｉｍａｘから最大輝度の大きさを分類して、その分類の結果得られる情報を最大輝度判定値Ｄ１２１として出力する。
中間輝度判定部１２２ｙは、中間階調情報値Ｙｉｍｉｄから中間輝度の大きさを分類して、その分類の結果得られる情報を中間輝度判定値Ｄ１２２として出力する。
最小輝度判定部１２３ｙは、最小階調情報値Ｙｉｍｉｎから最小輝度の大きさを分類して、その分類の結果得られる情報を最小輝度判定値Ｄ１２３として出力する。
平均輝度判定部１２４ｙは、平均輝度階調情報値Ｙｉａｖｅから平均輝度の大きさを分類して、その分類の結果得られる情報を平均輝度判定値Ｄ１２４として出力する。
【０１０３】
具体的には、図５に示すように最大輝度判定部１２１ｙは、最大階調情報値Ｙｉｍａｘが、所定の第１の最大輝度判定閾値Ｙｍａｘａより小さいか、上記第１の最大輝度判定閾値Ｙｍａｘａとそれより大きな所定の第２の最大輝度判定閾値Ｙｍａｘｂの間の値であるか、上記第２の最大輝度判定閾値Ｙｍａｘｂより大きいかを判定し、３つの分類情報値「Ｙｉｍａｘ小」、「Ｙｉｍａｘ中」、「Ｙｉｍａｘ大」のいずれかを最大輝度判定値Ｄ１２１として出力して、シーンチェンジ判定部１２５ｙに供給する。
【０１０４】
また、中間輝度判定部１２２ｙは、図６に示すように、中間階調情報値Ｙｉｍｉｄが、所定の第１の中間輝度判定閾値Ｙｍｉｄａより小さいか、上記第１の中間輝度判定閾値Ｙｍｉｄａとそれより大きい所定の第２の中間輝度判定閾値Ｙｍｉｄｂの間の値であるか、上記第２の中間輝度判定閾値Ｙｍｉｄｂより大きいかを判定し、３つの分類情報値「Ｙｉｍｉｄ小」、「Ｙｉｍｉｄ中」、「Ｙｉｍｉｄ大」のいずれかを中間輝度判定値Ｄ１２２として出力して、シーンチェンジ判定部１２５ｙに供給する。
【０１０５】
また、最小輝度判定部１２３ｙは、図７に示すように、最小階調情報値Ｙｉｍｉｎが、所定の第１の最小輝度判定閾値Ｙｍｉｎａより小さいか、上記第１の最小輝度判定閾値Ｙｍｉｎａとそれより大きな所定の第２の最小輝度判定閾値Ｙｍｉｎｂの間の値であるか、第２の最小輝度判定閾値Ｙｍｉｎｂより大きいかを判定し、３つの分類情報値「Ｙｉｍｉｎ小」、「Ｙｉｍｉｎ中」、「Ｙｉｍｉｎ大」のいずれかを最小輝度判定値Ｄ１２３として出力して、シーンチェンジ判定部１２５ｙに供給する。
【０１０６】
また、平均輝度判定部１２４ｙは、式（１）より計算された平均輝度階調情報値Ｙｉａｖｅが、所定の第１の平均輝度判定閾値Ｙａｖｅａより小さいか、上記第１の平均輝度判定閾値Ｙａｖｅａとそれより大きな所定の第２の平均輝度判定閾値Ｙａｖｅｂの間の値であるか、上記第２の平均輝度判定閾値Ｙａｖｅｂより大きいかを判定し、３つの分類情報値「Ｙｉａｖｅ小」、「Ｙｉａｖｅ中」、「Ｙｉａｖｅ大」のいずれかを平均輝度判定値Ｄ１２４として出力して、シーンチェンジ判定部１２５ｙに供給する。
【０１０７】
シーンチェンジ判定部１２５ｙは、４つの判定値Ｄ１２１，Ｄ１２２，Ｄ１２３，Ｄ１２４に基づいて、シーンチェンジの判定を行い、シーンチェンジを検出したときは、シーンチェンジ検出信号ＳＣを出力する。
例えば、４つの判定値４つの判定値Ｄ１２１，Ｄ１２２，Ｄ１２３，Ｄ１２４のうちの所定個数以上のものが変化した場合（現フレームにおける値Ｓｉが１フレーム前の値Ｓ（ｉ-１）と異なる場合）、シーンチェンジが発生したものと判定する。ここで所定個数は１または２以上の値に別途設定される。
上記のように、４つの判定値はそれぞれ３つの値（「小」、「中」、「大」）のいずれかを取り得るので、４つの判定値の組み合わせは図１５に示すように、３×３×３×３＝８１通り存在する。上記した、４つの判定値４つの判定値Ｄ１２１，Ｄ１２２，Ｄ１２３，Ｄ１２４のいずれか一つにおける変化は、図１５に示す８１通りのうちの一つの組合せから他の組合せへの遷移であると把握することもできる。
【０１０８】
なお、全黒画面（Ｙｉａｖｅ：小、Ｙｉｍｉｎ：小、Ｙｉｍｉｄ：小、Ｙｉｍａｘ：小）、全白画面（Ｙｉａｖｅ：大、Ｙｉｍｉｎ：大、Ｙｉｍｉｄ：大、Ｙｉｍａｘ：大）に変化した場合もシーンチェンジと見なし、同様に扱っても良い。特に全黒画面では、画質補正の切換えを行っても、ほとんど変化が分からないからである。
【０１０９】
シーンチェンジ検出部１２の最大輝度判定部１２１ｙ、中間輝度判定部１２２ｙ、最小輝度判定部１２３ｙ、平均輝度判定部１２４ｙで用いられる閾値Ｙｍａｘａ、Ｙｍａｘｂ、Ｙｍｉｄａ、Ｙｍｉｄｂ、Ｙｍｉｎａ、Ｙｍｉｎｂ、Ｙａｖｅａ、Ｙａｖｅｂが、コンテンツ特徴検出部１０の最大輝度判定部１０１ｙ、中間輝度判定部１０２ｙ、最小輝度判定部１０３ｙ、平均輝度判定部１０４ｙで用いられる閾値Ｙｍａｘａ、Ｙｍａｘｂ、Ｙｍｉｄａ、Ｙｍｉｄｂ、Ｙｍｉｎａ、Ｙｍｉｎｂ、Ｙａｖｅａ、Ｙａｖｅｂと同じ値を持つ場合、最大輝度判定部１２１ｙ、中間輝度判定部１２２ｙ、最小輝度判定部１２３ｙ、平均輝度判定部１２４ｙから出力される判定値Ｄ１２１，Ｄ１２２，Ｄ１２３，Ｄ１２４は、最大輝度判定部１０１ｙ、中間輝度判定部１０２ｙ、最小輝度判定部１０３ｙ、平均輝度判定部１０４ｙから出力される判定値Ｄ１０１，Ｄ１０２，Ｄ１０３，Ｄ１０４と同じとなり、従って、判定値Ｄ１２１，Ｄ１２２，Ｄ１２３，Ｄ１２４とコンテンツの種類との間には、図８に示される判定値Ｄ１０１，Ｄ１０２，Ｄ１０３，Ｄ１０４とコンテンツ特徴判定値Ｊｉとの関係と同様の関係がある。
【０１１０】
コンテンツ特徴検出部１０で、Ｋ種類（Ｋ＜８１）のコンテンツ特徴判定値Ｊｉ（ｉ＝１〜Ｋ）のいずれであるかを出力するものである場合（例えば、図９に示すように、５種類のコンテンツ特徴判定値Ｊｉ（ｉ＝１〜５）のいずれであるかを出力するものである場合）、シーンチェンジ後のそれぞれの判定値Ｄ１２１，Ｄ１２２，Ｄ１２３，Ｄ１２４の組み合わせが、複数コンテンツ特徴検出部１１から現在発生されている複数コンテンツ検出値Ｆｉに対応するものである場合、同じ種類（番組のジャンル）内でのシーンチェンジであると判断して、画質補正に変更を加える必要がないので、シーンチェンジ検出信号ＳＣを補正制御部６に出力しないこととしても良く、またはシーンチェンジ検出信号ＳＣが発生されても、補正制御部６で映像補正値Ｐｉ、表示部制御値Ｃｉの更新をしないようにしても良い。
【０１１１】
但し、シーンチェンジ後のそれぞれの判定値Ｄ１２１，Ｄ１２２，Ｄ１２３，Ｄ１２４の組み合わせが、複数コンテンツ特徴検出部１１から現在発生されている複数コンテンツ検出値Ｆｉに対応するものである場合でも、画質補正のための映像補正値Ｐｉや表示部制御値Ｃｉが、現在発生されている複数コンテンツ特徴判定値Ｆｉに対応する種類（ジャンル）のためのものとなっていない場合には、シーンチェンジ検出信号ＳＣを出力し、補正制御部６で映像補正値Ｐｉ、表示部制御値Ｃｉの更新を行う。これは複数コンテンツ特徴検出判定を行い、判定が遅れる場合の対策である。
【０１１２】
後段の画質補正の切換え処理を映像ブランキング期間内で終了させるために、シーンチェンジ検出部１２では、シーンチェンジが検出された後シーンチェンジ検出信号ＳＣを映像ブランキング期間内に速やかに出力するのが望ましい。すなわち、フレームバッファ７により遅延補償された映像が、映像補正部５入力され、映像補正部５入力映像のシーンチェンジ直前のフレームとシーンチェンジ直後のフレームの間の映像ブランキング期間内に、シーンチェンジ検出信号ＳＣに基づく補正制御部６出力である映像補正値Ｐｉ及び表示部制御値Ｃｉが出力され、映像ブランキング期間内に画質補正及び表示部補正の切り換えが終了することが望ましい。
【０１１３】
シーンチェンジ検出はシーンが変わった映像の終わりのフレームのブランキング期間に出力するが、シーンチェンジ後１フレーム遅れてしまう。そのため、フレームバッファ７で１フレーム遅延補償させることで、シーンチェンジする直前のタイミングで映像補正部５で映像補正を行うことができる。また、表示部４おいてもフレームバッファ７で遅延補償された映像補正部出力映像Ｄｄによって表示されるため、シーンチェンジ直前のタイミングで表示補正を行うことができる。
【０１１４】
シーンチェンジ判定部１２５ｙは、４つの判定値のうちの３つ以下の判定値のみを使用して判定を行っても良い。例えば、平均輝度判定値のみに基きシーンチェンジを判定することとしても良い。また、各輝度情報値が、各々２つの閾値を用いて、大、中、小の３段階に分類され、各判定値が、大、中、小の３つの値のいずれかを取るようにしているが、２つの値、或いは４つ以上の値のいずれかを取る判定値を生成して、これを用いてシーンチェンジ検出を行っても良い。
また、複数段階への分類の結果ではなく、輝度情報検出部９から出力される、最大階調情報値Ｙｉｍａｘ、中間階調情報値Ｙｉｍｉｄ、最小階調情報値Ｙｉｍｉｎ、平均輝度階調情報値Ｙｉａｖｅ自体の比較を行っても良い。例えば、現フレームについての、最大階調情報値Ｙｉｍａｘ、中間階調情報値Ｙｉｍｉｄ、最小階調情報値Ｙｉｍｉｎ、平均輝度階調情報値Ｙｉａｖｅと、１フレーム前のフレームについての最大階調情報値Ｙ（ｉ−１）ｍａｘ、中間階調情報値Ｙ（ｉ−１）ｍｉｄ、最小階調情報値Ｙ（ｉ−１）ｍｉｎ、平均輝度階調情報値Ｙ（ｉ−１）ａｖｅの差の絶対値がそれぞれ閾値Ｒｙｍａｘ、Ｒｙｍｉｄ、Ｒｙｍｉｎ、Ｒｙａｖｅを超えたものが所定数（１又は２以上）以上である場合に、シーンチェンジと判断することとしても良い。
【０１１５】
上記のように、シーンチェンジ検出部１２の最大輝度判定部１２１ｙ、中間輝度判定部１２２ｙ、最小輝度判定部１２３ｙ、平均輝度判定部１２４ｙの構成は、コンテンツ特徴検出部１０の最大輝度判定部１０１ｙ、中間輝度判定部１０２ｙ、最小輝度判定部１０３ｙ、平均輝度判定部１０４ｙと同じ構成である場合、シーンチェンジ検出部１２とコンテンツ特徴検出部１０とで、最大輝度判定部（１２１ｙ／１０１ｙ）、中間輝度判定部（１２２ｙ／１０２ｙ）、最小輝度判定部（１２３ｙ／１０３ｙ）、平均輝度判定部（１２４ｙ／１０４ｙ）を共用しても良い。例えば、図１のシーンチェンジ検出部１２を省略し、図１６に示すように、シーンチェンジ判定部１２５ｙをコンテンツ特徴検出部１０に組み込み、最大輝度判定部１０１ｙ、中間輝度判定部１０２ｙ、最小輝度判定部１０３ｙ、平均輝度判定部１０４ｙの出力をシーンチェンジ判定部１２５ｙに供給することとしても良い。このようにして最大輝度判定部、中間輝度判定部、最小輝度判定部及び平均輝度判定部を共用することで、システムコストが削減できる。
【０１１６】
図１７のブロック図に示すように、シーンチェンジ検出部１２の入力を、（図１のように輝度情報検出部９の出力ではなく）映像信号Ｄｂとしても良い。この場合、シーンチェンジ検出は既知の方法で良い。例えば、１フレームの映像有効期間をＭ×Ｎブロックに分割し、分割されたそれぞれのブロックの平均輝度ＹＳｍｎ（ｉ）の算出を行い、１フレーム前の各ブロックの平均輝度ＹＳｍｎ（ｉ−１）と比較し、平均輝度ＹＳｍｎ（ｉ）−ＹＳｍｎ（ｉ−１）の差が所定値Ｕ以上であるブロックの個数Ｖが、閾値以上、例えば１フレームの映像有効期間内の総ブロックの半分以上である場合にシーンチェンジと判断し、シーンチェンジ検出信号ＳＣを出力する。また、既知のＩＰ変換回路や信号処理回路等に、シーンチェンジ検出手段が備えられている場合は、このシーンチェンジ検出手段による検出結果を使用しても良い。また、特許文献３に記載のシーンチェンジ検出方法を採用して良い。
【０１１７】
シーンチェンジ検出部１２でシーンチェンジを検出し、シーンチェンジのタイミングで補正制御部６による映像補正部５や表示部４の制御のための映像補正値Ｐｉ、表示部制御値Ｃｉの切換えを行い、シーンチェンジ直前及び直後のフレーム相互間の映像ブランキング期間内で画質補正の切換えを行うことで、画質の変化が気にならないものとなる効果が得られる。
【０１１８】
以上のように、本実施の形態の映像表示装置では、入力映像信号Ｄｂの１フレーム分の輝度情報のヒストグラムから求めた最大階調情報値、中間階調情報値、最小階調情報値、及び平均輝度階調情報値からコンテンツ特徴情報（コンテンツ特徴判定値）を生成し、複数フレーム分のコンテンツ特徴情報に基づいてコンテンツの特徴やジャンルを判定しているため、入力映像信号Ｄｂに対してコンテンツの特徴やジャンルを正確に判定することができる。
また、フレームバッファ７により、輝度情報検出部９や複数コンテンツ特徴検出部１１やシーンチェンジ検出部１２における処理の遅延を補償し、シーンチェンジ検出部１２でシーンチェンジ検出を行い、シーンチェンジの発生したタイミングで、映像補正部５や表示部４に対して画質補正の切換えを行っているため、自然な画質補正の切換えを行うことができる。
また、入力映像信号Ｄｂから判定された複数コンテンツ特徴判定値Ｆｉに基づいて画質補正を行っているため、コンテンツの特徴やジャンルに最適な画質補正が可能となる。また、コンテンツ特徴やジャンルを判定できるため、輝度補正のみなならず、色やシャープネス、動画応答、デバイスの制御を行うことが可能となる。
さらに、本実施の形態の映像表示装置では、図示していないが、テレビジョン受信機等の場合は、音声出力部も備えるため、コンテンツ特徴やジャンルに合わせた音声補正も行える。
【０１１９】
特許文献１では番組の途中での映像コンテンツのリアルタイムな変化には対応できないが、本実施の形態では、同じ番組内の映像コンテンツのリアルタイムな変化にも対応できる効果がある。例えば、デジタル放送で番組データとともに「映画」と言うジャンルを示す情報が送られてきた場合、特許文献１ではその番組の始めから終わりまで「映画」のための画質補正を行い、番組の途中におけるコマーシャル映像も「映画」のための画質補正となっている。本実施の形態を適用することで、映画の番組の途中におけるコマーシャル映像表示中は、コマーシャルに適した画質補正が行える。また、例えば、スポーツをテーマにした内容の「映画」番組の場合、特許文献１では「映画」のための画質補正が行われるが、本実施の形態では、コンテンツ特徴検出により、番組の各部分が「スポーツ」と分類されれば、その部分においてはスポーツに適した画質補正が行われる。そのため、番組データとともに送られたジャンルを示す情報と番組の途中で変化する映像コンテンツとの違いによる不適切な画質補正が防止され、番組の各部分の映像コンテンツに適した画質補正（例えば明るいスポーツ映像に適した画質補正）が行われる。
なお、本発明でも、種類判定（ジャンル判定）の精度を上げるために、特許文献１に記載されているデジタル放送のジャンル情報を組み合わせて判定を行っても良く、判定の初期値として、特許文献１に記載されているデジタル放送のジャンル情報に基づく判定結果を用いても良い。
【図面の簡単な説明】
【０１２０】
【図１】本発明の実施の形態の映像表示装置の構成を示すブロック図である。
【図２】図１に示される輝度情報検出部９の一例を示すブロック図である。
【図３】図２に示されるヒストグラム生成部９１ｙで生成されるヒストグラムと輝度階調情報値の生成条件を示す図である。
【図４】図１に示されるコンテンツ特徴検出部１０の一例を示すブロック図である。
【図５】図４に示される最大輝度判定部１０１ｙによる最大輝度判定値Ｄ１０１の生成条件を示す図である。
【図６】図４に示される中間輝度判定部１０２ｙによる中間輝度判定値Ｄ１０２の生成条件を示す図である。
【図７】図４に示される最小輝度判定部１０３ｙによる最小輝度判定値Ｄ１０３の生成条件を示す図である。
【図８】図４のコンテンツ特徴検出部１０でコンテンツ判定のために用いられる、最大輝度判定値Ｄ１０１、中間輝度判定値Ｄ１０２、最小輝度判定値Ｄ１０３、及び平均輝度判定値Ｄ１０４の組合せと、対応するコンテンツ特徴判定値Ｊｉの関係の一例を示す表である。
【図９】図４のコンテンツ特徴検出部１０でコンテンツ判定のために用いられる、最大輝度判定値Ｄ１０１、中間輝度判定値Ｄ１０２、最小輝度判定値Ｄ１０３、及び平均輝度判定値Ｄ１０４の組合せと、対応するコンテンツ特徴判定値Ｊｉの関係の他の例を示す表である。
【図１０】図１の複数コンテンツ特徴検出部１１による、複数フレームの特徴に基くコンテンツ分類のための第１の手法を示す説明図である。
【図１１】図１の複数コンテンツ特徴検出部１１による、複数フレームの特徴に基くコンテンツ分類のための第２の手法を示す説明図である。
【図１２】図１の複数コンテンツ特徴検出部１１による、複数フレームの特徴に基くコンテンツ分類のための第３の手法を示す説明図である。
【図１３】図１の映像表示装置で用いられる補正制御部の画質設定の一例を示す図である。
【図１４】図１に示されるシーンチェンジ検出部１２の一例を示すブロック図である。
【図１５】図１４のシーンチェンジ検出部１２でシーンチェンジ判定のために用いられる、最大輝度判定値Ｄ１２１、中間輝度判定値Ｄ１２２、最小輝度判定値Ｄ１２３、及び平均輝度判定値Ｄ１２４の組合わせを示す図である。
【図１６】図１の映像表示装置で用いることができる、コンテンツ特徴検出部とシーンチェンジ検出部を兼ねた構成例を示すブロック図である。
【図１７】本発明の実施の形態の映像表示装置の別の構成例を示すブロック図である。
【符号の説明】
【０１２１】
１  入力端子、  ２  受信部、  ３  映像処理装置、  ４  表示部、  ５  映像補正部、  ６  補正制御部、  ７  フレームバッファ、  ８  彩度情報検出部、  ９  輝度情報検出部、  １０  コンテンツ特徴検出部、  １１  複数コンテンツ特徴検出部、  １２  シーンチェンジ検出部、  ９１ｙ  ヒストグラム生成部、  ９２ｙ  最大階調検出部、  ９３ｙ  中間階調検出部、  ９４ｙ  最小階調検出部、  ９５ｙ  平均輝度階調検出部、  １０１ｙ  最大輝度判定部、  １０２ｙ  中間輝度判定部、  １０３  最小輝度判定部、  １０４ｙ  平均輝度判定部、  １０５ｙ  コンテンツ特徴判定部、  １２１ｙ  最大輝度判定部、  １２２ｙ  中間輝度判定部、  １２３ｙ  最小輝度判定部、  １２４ｙ  平均輝度判定部、  １２５ｙ  シーンチェンジ判定部。
【図１】
2008193285.tif 000004
【図２】
2008193285.tif 000005
【図３】
2008193285.tif 000006
【図４】
2008193285.tif 000007
【図５】
2008193285.tif 000008
【図６】
2008193285.tif 000009
【図７】
2008193285.tif 000010
【図８】
2008193285.tif 000011
【図９】
2008193285.tif 000012
【図１０】
2008193285.tif 000013
【図１１】
2008193285.tif 000014
【図１２】
2008193285.tif 000015
【図１３】
2008193285.tif 000016
【図１４】
2008193285.tif 000017
【図１５】
2008193285.tif 000018
【図１６】
2008193285.tif 000019
【図１７】
2008193285.tif 000020